(57)【要約】【課題】内部の気体を排出することができ、着席者の体重に合わせて圧力を調整し、形状を記憶することができるパッドを提供する。【解決手段】  被覆材と、緩衝材と、半糊状の液体とを含んでなり、被覆材が中空の袋状で内部に設けられた設置空間と、一側面に設けられた空気孔とを具えてなり、空気孔と設置空間とが互いに貫通し、空気孔には孔を塞ぐ栓を設けることができ、緩衝材が被覆材の設置空間内に設けられ、形状を回復する回復力を具えてなり、スポンジには複数の空気の隙間が形成され、半糊状の液体が流動性を具え、スポンジに塗布するか、スポンジ内部に浸透して、スポンジと一体になるように付着し、スポンジと空気の隙間との間をゆっくりと流動し、着席者の体重が異なる場合には、空気孔で被覆材の内部の空気を外部へ放出してパッドの圧力を調整するとともに、押し圧された圧力を記憶して緩衝材が着席者を支持し、快適さを提供すると同時に、形状を記憶する構造からなる。【選択図】  図１
0003133643.tif 000002
【実用新案登録請求の範囲】
【請求項１】
被覆材と、緩衝材と、半糊状の液体とを含んでなり、
該被覆材が中空の袋状で内部に設けられた設置空間と、一側面に設けられた空気孔とを具えてなり、該空気孔と設置空間とが互いに貫通し、且つ、空気孔には孔を塞ぐ栓を設けることができ、
該緩衝材が被覆材の設置空間内に設けられ、元の状態に回復する回復力を具えてなり、スポンジには複数の空気の隙間が形成され、
該半糊状の液体が、流動性の液体で、スポンジに塗布するか、スポンジ内部に浸透されて、スポンジと一体になるように付着し、スポンジと空気の隙間との間をゆっくりと流動し、
着席者の体重が異なる場合には、空気孔で被覆材の内部の空気を外部へ放出してパッドの圧力を調整するとともに、押し圧された圧力を記憶して緩衝材が着席者を支持し、快適さを提供すると同時に、形状を記憶し、形状を調整する構造からなることを特徴とするパッド。
【請求項２】
前記パッドが椅子の座部に設けるように形成されることを特徴とする請求項１に記載するパッド。
【請求項３】
前記パッドがベッドマットとして形成されることを特徴とする請求項１に記載するパッド。
【考案の詳細な説明】
【技術分野】
【０００１】
この考案は、パッドに関し、特に椅子の座部上に設けて座る人の体重に合わせて圧力を調整することができるパッドに関する。
【背景技術】
【０００２】
従来の椅子の座部上に設けるパッド、或いは枕、或いはベッドに敷くパッドは、内部に綿を充填して使用者の体重を緩衝するために供し、使用者に快適さを提供している。その後、関連業者は椅子の座部上に設けるパッドの輪郭の形状を確実に維持することができ、変形しない多くの形状記憶型の綿の開発を行った。
【０００３】
従来のパッドは、高い弾性を具えた綿を設けたパッドと、低い回復性を具えた綿からなる形状記憶タイプとを含んでなる。該パッドは中間に凹面を具えて形状記憶タイプの綿を設けるために供する。また、パッドは外側表面が布、或いは皮によって密接に被服されているため、パッドの輪郭の形状を維持し、変形することを抑えることができる。
【０００４】
上述した従来の構造は、使用上、複数の改良すべき点があった。従来のパッドは、弾性の値が固定され、調整できず、体積が大きい。また、体重の重い人が腰をかけると、下方向に深く沈み込み、パッドが大きな圧力を受けるため、着席者は比較的安定する。
【０００５】
しかしながら、パッドが受ける反作用力が比較的大きくなるため、一定の時間が経過すると、着席者が不快感を感じる。
【０００６】
体積が小さく、体重の軽い人がパッド上に座ると、浅くしか沈まず、パッドが受ける圧力が小さいため、着席者が受けるパッドの反作用力が小さくなる。
【０００７】
しかしながら、着席者は揺動し易く、着席の姿勢に影響を与える。
【０００８】
特に固定型の起伏した形状のパッドの輪郭の形状は、男女、大人、或いは子供の臀部のサイズが異なり、すべての人に合わせることができない。また、形状記憶タイプの場合、回復力が低い綿から形成するため、使用者が着席した後、着席者の体温を容易に蓄積し、長時間座っていると、着席者はパッドの湿度と熱を感じ、不快感を感じる。
【０００９】
また、該パッドの外側表面が布、或いは皮で密接に被服されている場合、パッドの輪郭の形状を確実に維持し、変形を抑えるため、使用者が長時間着席していると、臀部にしびれなどの痛みをかんじることもある。また、臀部の血液循環が悪くなり、できものなどを引き起こす可能性がある。
【００１０】
さらに、形状記憶タイプの場合、使用者の体型を完全に記憶することはできないため、使用者が座席を離れると、形状がもとに回復し、使用者の体型を記憶する効果を得ることができない。また、形状記憶のタイプは異なる使用者の体型及び、異なる体重により調整するなどの機能は具えていないため、実用的ではない。
【考案の開示】
【考案が解決しようとする課題】
【００１１】
この考案は、内部の気体を排出することができ、着席者の体重に合わせて圧力を調整し、形状を記憶することができるパッドを提供することを課題とする。
【課題を解決するための手段】
【００１２】
そこで、本考案者は従来の技術に見られる欠点に鑑みて鋭意研究を重ねた結果、被覆材と、緩衝材と、半糊状の液体とを含んでなり、
該被覆材が中空の袋状で内部に設けられた設置空間と、一側面に設けられた空気孔とを具えてなり、該空気孔と設置空間とが互いに貫通し、且つ、空気孔には孔を塞ぐ栓を設けることができ、
該緩衝材が被覆材の設置空間内に設けられ、元の状態に回復する回復力を具えてなり、スポンジには複数の空気の隙間が形成され、
該半糊状の液体が、流動性の液体で、スポンジに塗布するか、スポンジ内部に浸透されて、スポンジと一体になるように付着し、スポンジと空気の隙間との間をゆっくりと流動し、
着席者の体重が異なる場合には、空気孔で被覆材の内部の空気を外部へ放出してパッドの圧力を調整するとともに、押し圧された圧力を記憶して緩衝材が着席者を支持し、快適さを提供すると同時に、形状を記憶し、形状を調整する構造からなるパッドによって課題を解決できる点に着眼し、かかる知見に基づいて本考案を完成させた。
【００１３】
以下、この考案について具体的に説明する。
請求項１に記載のパッドは、被覆材と、緩衝材と、半糊状の液体とを含んでなり、
該被覆材が中空の袋状で内部に設けられた設置空間と、一側面に設けられた空気孔とを具えてなり、該空気孔と設置空間とが互いに貫通し、且つ、空気孔には孔を塞ぐ栓を設けることができ、
該緩衝材が被覆材の設置空間内に設けられ、元の状態に回復する回復力を具えてなり、スポンジには複数の空気の隙間が形成され、
該半糊状の液体が、流動性の液体で、スポンジに塗布するか、スポンジ内部に浸透されて、スポンジと一体になるように付着し、スポンジと空気の隙間との間をゆっくりと流動し、
着席者の体重が異なる場合には、空気孔で被覆材の内部の空気を外部へ放出してパッドの圧力を調整するとともに、押し圧された圧力を記憶して緩衝材が着席者を支持し、快適さを提供すると同時に、形状を記憶し、形状を調整する構造からなる。
【００１４】
請求項２に記載のパッドは、請求項１におけるパッドが椅子の座部に設けるように形成される。
【００１５】
請求項３に記載のパッドは、請求項１におけるパッドがベッドマットとして形成される。
【考案の効果】
【００１６】
この考案のパッドは、緩衝材が半糊状の液体をスポンジに塗布、或いは浸透させてゼリー状に形成され、且つ、スポンジと液体との間に空気の隙間が形成されるため、緩衝材が変形しても形状が戻り難く、形状を記憶するという効果を有する。
【００１７】
また、この考案のパッドは緩衝材の半糊状の液体が熱伝導力が低いため、長時間座っていても着席者が清涼感を感じるという効果を有する。
【００１８】
さらに、この考案のパッドは、緩衝材の半糊状の液体が柔軟性を具えているため、着席者に適宜な柔軟性を提供するため、着席者が快適さを感じるという効果を有する。
【００１９】
その他、この考案のパッドは空気孔、或いは空気弁を設けてなるため、形状を記憶する効果を具え、椅子やベッドのパッドとして設けることができる。
【考案を実施するための最良の形態】
【００２０】
この考案は、内部の気体を排出することができ、着席者の体重に合わせて圧力を調整し、形状を記憶することができるパッドであって、被覆材と、緩衝材と、半糊状の液体とを含んでなり、
該被覆材が中空の袋状で内部に設けられた設置空間と、一側面に設けられた空気孔とを具えてなり、該空気孔と設置空間とが互いに貫通し、且つ、空気孔には孔を塞ぐ栓を設けることができ、
該緩衝材が被覆材の設置空間内に設けられ、元の状態に回復する回復力を具えてなり、スポンジには複数の空気の隙間が形成され、
該半糊状の液体が、流動性の液体で、スポンジに塗布するか、スポンジ内部に浸透されて、スポンジと一体になるように付着し、スポンジと空気の隙間との間をゆっくりと流動し、
着席者の体重が異なる場合には、空気孔で被覆材の内部の空気を外部へ放出してパッドの圧力を調整するとともに、押し圧された圧力を記憶して緩衝材が着席者を支持し、快適さを提供すると同時に、形状を記憶し、形状を調整する構造からなる。
かかるパッド構造と特徴を詳述するために具体的な実施例を挙げ、図示を参照にして以下に説明する。
【実施例】
【００２１】
図１から図３に開示するように、この考案のパッド１０は、被覆材２０と、緩衝材３０とを含んでなる。実施例ではパッド１０を椅子の座部に設けた状態を開示する。
【００２２】
該被覆材２０は熱可塑性ポリウレタン（Ｔｈｅｒｍｏｐｌａｓｔｉｃ  Ｐｏｌｙｕｒｅｔｈａｎｅ，ＴＰＵ）から形成し、摩擦に強く、破れ難いという特性を具え、負荷に強く、負荷を受けると凹状に変形して圧力を放出することができる。
【００２３】
該被覆材２０は、中空の袋状に形状に形成され、内部に形成された設置空間２１と、一側面に設けられた空気孔２２とを具えてなる。該空気孔２２と設置空間２１とは貫通しているため、内部の気体を流動させることができる。また、該空気孔２２には栓２３を設けて空気孔２２を塞ぎ密封することができる。
【００２４】
該緩衝材３０は、被覆材２０の設置空間２１の内部に設け、着席者を支持するために供し、形状記憶の特性を具えてなる。
【００２５】
該緩衝材３０はスポンジ３１に半糊状の液体３２を塗布するか、或いは液体３２を浸透させたものから形成し、スポンジ３１と半糊状の液体３２が緊密に付着してゼリー状に形成される。また、スポンジ３１と、半糊状の液体３２との間には複数の空気の隙間３３が形成される。
【００２６】
前述の構造からなる緩衝材３０は圧力を受けて変形した後、元の状態に回復する力が低く、形状を記憶する機能を具えてなる。
【００２７】
この実施例における半糊状の液体３２は、液体の糊と水とを混合して形成し、両者の比率はバランスのとれた状態になるように調整し、緩衝材３０が押し圧された時に水圧の影響を受けることなく、水により清涼感を供するとともに、液状の糊が温まった水の熱を吸収する。
【００２８】
緩衝材３０内の半糊状の液体３２は液体と水とを混合して形成するため、熱を伝導する力が異なる。よって、長時間着席しても清涼感を感じることができる。
【００２９】
また、半糊状の液体３２は柔軟性を具えているため、着席者に適宜な柔軟性と提供することができる。
【００３０】
図４、図５は、この考案の実施例を示し、パッド１０上に比較的体重が軽く、背の低い人が着席した状態を示している。
【００３１】
図面によれば、比較的体重が軽く、背の低い人がパッド１０上に着席すると、緩衝材３０が押し圧されて、圧力を受けた空気の隙間３３内の気体が被覆材２０の空気孔２２から外部に放出される。また、被覆材２０の設置空間２１内の気体も一部、被覆材２０の空気孔２２から外部に放出され、その後、栓２３で空気孔２２を閉じて密封し、外部の気体が被覆材２０の内部に吸入されないようにする。
【００３２】
前述の状態では空気圧の関係により、緩衝材３０が着席者の体型を記憶する。よって、着席者が一時的に席を離れてもパッド１０は、着席者の着席していた形状を維持し、着席者が再び着席する場合、着席者の体型に適した形状のパッド１０上に着席することができるため、着席者が快適に感じる。
【００３３】
図６、図７は、この考案の他の実施例を開示し、パッド１０上に、比較的体重の重い人が着席した場合を示している。
【００３４】
図面によれば、比較的体重の重い人がパッド１０上に着席すると、緩衝材３０が押し圧されて、空気の隙間３３内の気体が被覆材２０の空気孔２２から外部に放出されるとともに、被覆材２０の設置空間２１内の気体も一部、被覆材２０の空気孔２２から外部に放出される。その後、栓２３で空気孔２２を塞いで密封し、外部の空気が被覆材２０の内部に吸入されないようにする。
【００３５】
上述の状態では、空気圧の関係により、緩衝材３０が着席者の体型を記憶する。よって、着席者が一時的に席を離れても、パッド１０は着席者の着席していた形状を維持し、着席者が再び着席する場合、着席者の体型に適した形状のパッド１０上に着席することができるため、着席者が快適に感じる。
【００３６】
また、この考案のパッド１０は、異なる使用者が着席する場合には栓２３を外すと、外部の空気が空気孔２２から被覆材２０の内部に吸入されるため、緩衝材３０が回復力でゆっくりと形状を回復し、隙間３３内に気体が吸入されて、元の形状に形成される。よって、長時間着席しても弾性が失われることがない。
【００３７】
形状が回復した後、図４から図５に開示した動作を繰り返すとパッド１０は、着席者の形状を記憶し、高い適応能力を具えている。
【００３８】
図８は、この考案の他の実施例を示したものである。上述の実施例の場合と略同じであるが、この実施例ではパッド４０はベッドマットに形成し、上述の実施例と同様の機能を具えてなる。また、該パッド４０は就寝時に使用する枕に形成してもよい。
【００３９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００４０】
【図１】この考案のパッドの実施例を示した斜視図である。
【図２】この考案のパッドを示した説明図である。
【図３】図２に開示したパッドの長手方向断面を示した説明図である。
【図４】この考案のパッド上に体重の軽い、身長の低い人が着席した状態を示した説明図である。
【図５】図４に開示したパッドが形状を記憶している状態を示した断面図である。
【図６】この考案のパッド上に体重の重い人が着席した状態を示した説明図である。
【図７】図６に開示したパッドが形状を記憶している状態を示した断面図である。
【図８】この考案のパッドの他の実施例を示した斜視図である。
【符号の説明】
【００４１】
１０   パッド
２０   被覆材
２１   設置空間
２２   空気孔
２３   栓
３０   緩衝材
３１   スポンジ
３２   液体
３３   隙間
４０   パッド
【図１】
0003133643.tif 000003
【図２】
0003133643.tif 000004
【図３】
0003133643.tif 000005
【図４】
0003133643.tif 000006
【図５】
0003133643.tif 000007
【図６】
0003133643.tif 000008
【図７】
0003133643.tif 000009
【図８】
0003133643.tif 000010